(57)【要約】【課題】 作業者によらずに簡単かつ安定した切断が可能であり、しかも、切断面の荒れを抑えることで伝送損失の低減を可能としたプラスチック光ファイバ用カッタおよびプラスチック光ファイバ用カッタの保持治具を提供する。【解決手段】  プラスチック光ファイバ用カッタ1は、複数の光ファイバ挿通孔2aが設けられたケース部2と、ケース部2に対してスライド可能な刃保持部4と、刃保持部4に取り付けられた刃5とを備えている。刃保持部4は、ケース部2に設けられたガイドレール3に上下にスライド可能に支持されている。刃保持部4に設けられためねじ部に、ハンドル7付きのおねじ部材6がねじ合わされている。おねじ部材6を回転させることで、刃保持部4がガイドレール3に沿って移動させられる。【選択図】    図１
2013178421.tif 000002
【特許請求の範囲】
【請求項１】
少なくとも１つの光ファイバ挿通孔が設けられたケース部と、ケース部に対してスライド可能な刃保持部と、刃保持部に取り付けられた刃とを備えているプラスチック光ファイバ用カッタにおいて、
刃保持部は、ケース部に設けられたガイドレールにスライド可能に支持されており、刃保持部に設けられためねじ部に、おねじ部材がねじ合わされており、おねじ部材を回転させることで、刃保持部がガイドレールに沿って移動させられることを特徴とするプラスチック光ファイバ用カッタ。
【請求項２】
少なくとも１つの光ファイバ挿通孔が設けられたケース部と、ケース部に対してスライド可能な刃保持部と、刃保持部に取り付けられた刃とを備えているプラスチック光ファイバ用カッタによる切断時に使用されるカッタの保持治具であって、ケース部を保持する固定部と、固定部に設けられたガイドレールと、刃保持部を保持してガイドレールにスライド可能に支持された移動部と、移動部に設けられためねじ部にねじ合わされたおねじ部材とを備えており、おねじ部材を回転させることで、刃保持部を保持した移動部がガイドレールに沿って移動させられることを特徴とするプラスチック光ファイバ用カッタの保持治具。
【発明の詳細な説明】
【技術分野】
【０００１】
この発明は、プラスチック光ファイバ（ＰＯＦ）を切断するためのプラスチック光ファイバ用カッタに関し、特に、プラスチック光ファイバの配線を行う作業現場において、追加の設備を使用せずに、簡単にプラスチック光ファイバを切断することができるプラスチック光ファイバ用カッタおよびプラスチック光ファイバ用カッタの保持治具に関する。
【背景技術】
【０００２】
複数の光ファイバ挿通孔が設けられたケース部と、ケース部に対してスライド可能な刃保持部と、刃保持部に取り付けられた刃とを備えており、光ファイバ挿通孔から突出させたプラスチック光ファイバ端部を切断するプラスチック光ファイバ用カッタとして、種々のものが知られているが、大別すると、ケース部に設けられた軸部に刃保持部が回転可能に取り付けられた回転タイプ（例えば特許文献１）と、ケース部に対して刃保持部がスライド可能に取り付けられたスライドタイプ（例えば特許文献２）とに分けられる。
【先行技術文献】
【特許文献】
【０００３】
【特許文献１】特開平１０−３０７２１３号公報
【特許文献２】特開２００２−７１９６７号公報
【発明の概要】
【発明が解決しようとする課題】
【０００４】
プラスチック光ファイバについては、種々のものが実用化されているが、その切断面がきれいな面となることが伝送損失を損なわないために重要である。ＳＩ−ＰＯＦと称されているプラスチック光ファイバでは、コア径が１．０ｍｍ程度であり、切断面が荒れていても、伝送損失への影響が小さいが、ＧＩ−ＰＯＦと称されているプラスチック光ファイバでは、コア径が５０〜３００μｍ程度であり、伝送損失への影響を受けやすい。切断面の荒れは、コア、クラッド、被覆の材質によっても、大きなバラツキがあり、また、作業者によってもバラツキが出る。例えばコアが硬くて径が小さいプラスチック光ファイバは、切断面の荒れが生じやすいが、このような不利な形状のプラスチック光ファイバに対し、上記従来のものでは、回転タイプまたはスライドタイプいずれのものであっても、切断面の荒れを抑えることが難しかった。なお、回転タイプのものとスライドタイプのものとを比べると、スライドタイプのものは、構成が簡単という利点を有している。
【０００５】
この発明の目的は、作業者によらずに簡単かつ安定した切断が可能であり、しかも、切断面の荒れを抑えることで伝送損失の低減を可能としたプラスチック光ファイバ用カッタおよびプラスチック光ファイバ用カッタの保持治具を提供することにある。
【課題を解決するための手段】
【０００６】
この発明によるプラスチック光ファイバ用カッタは、少なくとも１つの光ファイバ挿通孔が設けられたケース部と、ケース部に対してスライド可能な刃保持部と、刃保持部に取り付けられた刃とを備えているプラスチック光ファイバ用カッタにおいて、刃保持部は、ケース部に設けられたガイドレールにスライド可能に支持されており、刃保持部に設けられためねじ部に、おねじ部材がねじ合わされており、おねじ部材を回転させることで、刃保持部がガイドレールに沿って移動させられることを特徴とするものである。
【０００７】
従来のプラスチック光ファイバ用カッタを使用したプラスチック光ファイバの切断において、切断速度に着目すると、その好ましい範囲は、０．０４〜０．２ｍｍ／ｓｅｃであり、さらに好ましい範囲は、０．０５〜０．１ｍｍ／ｓｅｃである。人の手でカッタを動かした場合、切断速度が速くなりすぎることで、コアに内部方向への亀裂が生じたり、表面に雲母状の割れが生じたりするという問題が生じる。
【０００８】
そこで、この発明によるプラスチック光ファイバ用カッタでは、おねじ部材を回転させることで、刃保持部がガイドレールに支持された状態で移動可能な構成とし、おねじ部材を回転させる速度は、人の手で動かしやすい速度としても、刃保持部をゆっくりした速度で移動することができるものとされる。これにより、熟練度によることなく、切断面の荒れ（コアの亀裂や割れなど）を抑えることができる。
【０００９】
この発明によるプラスチック光ファイバ用カッタの保持治具は、少なくとも１つの光ファイバ挿通孔が設けられたケース部と、ケース部に対してスライド可能な刃保持部と、刃保持部に取り付けられた刃とを備えているプラスチック光ファイバ用カッタによる切断時に使用されるカッタの保持治具であって、ケース部を保持する固定部と、固定部に設けられたガイドレールと、刃保持部を保持してガイドレールにスライド可能に支持された移動部と、移動部に設けられためねじ部にねじ合わされたおねじ部材とを備えており、おねじ部材を回転させることで、刃保持部を保持した移動部がガイドレールに沿って移動させられることを特徴とするものである。
【００１０】
少なくとも１つの光ファイバ挿通孔が設けられたケース部と、ケース部に対してスライド可能な刃保持部と、刃保持部に取り付けられた刃とを備えているプラスチック光ファイバ用カッタは、市販されている。この発明によるプラスチック光ファイバ用カッタの保持治具は、おねじ部材を回転させることで、移動部がガイドレールに支持された状態で移動可能な構成とし、おねじ部材を回転させる速度は、人の手で動かしやすい速度としても、カッタの刃保持部を保持した移動部ゆっくりした速度で移動することができるものとされる。すなわち、市販のカッタでは、人の手でカッタを動かした場合、切断速度が速くなりすぎることで、コアに内部方向への亀裂が生じたり、表面に雲母状の割れが生じたりするが、このような市販のカッタであっても、この発明の保持治具にこれをセットすることで、切断速度をゆっくりしたものとすることができる。
【発明の効果】
【００１１】
この発明のプラスチック光ファイバ用カッタおよびプラスチック光ファイバ用カッタの保持治具によると、切断速度をゆっくりしたものとすることができるので、作業者によらずに簡単かつ安定した切断が可能であり、これにより、切断面の荒れを抑えることができ、伝送損失の低減が可能となる。
【図面の簡単な説明】
【００１２】
【図１】図１は、この発明によるプラスチック光ファイバ用カッタの１実施形態を模式的に示す正面図である。
【図２】図２は、この発明によるプラスチック光ファイバ用カッタの保持治具の１実施形態を模式的に示す正面図である。
【図３】図３は、この発明によるプラスチック光ファイバ用カッタおよびプラスチック光ファイバ用カッタの保持治具を使用して得られるプラスチック光ファイバの切断面を模式的に示す図である。
【図４】図４は、従来のプラスチック光ファイバ用カッタを使用して得られるプラスチック光ファイバの切断面を模式的に示す図である。
【発明を実施するための形態】
【００１３】
この発明の実施の形態を、以下図面を参照して説明する。以下の説明において、上下および左右は、図１の上下および左右をいうものとし、また、図１の紙面表側を前、裏側を後というものとする。
【００１４】
この発明によるプラスチック光ファイバ用カッタ(1)の１実施形態は、図１に示すように、前後に貫通する複数（図示は４つ）の光ファイバ挿通孔(2a)が設けられ合成樹脂製ケース部(2)と、ケース部(2)の上面に立設された１対のガイドレール(3)と、１対のガイドレール(3)に上下に移動可能に支持された刃保持部(4)と、刃保持部(4)に下方に突出するように取り付けられた刃(5)と、刃保持部(4)に設けられためねじ部にねじ合わされたおねじ部材(6)と、おねじ部材(6)の上端部に固定されたハンドル(7)とを備えている。
【００１５】
光ファイバ挿通孔(2a)は、刃(5)の刃先(5a)と平行に並ぶように、複数設けられており、各光ファイバ挿通孔(2a)は、２心のプラスチック光ファイバケーブルに対応する形状とされている。
【００１６】
光ファイバ挿通孔(2a)内にプラスチック光ファイバ（図示略）が挿通された状態で、刃保持部(4)が下方に移動させられることで、プラスチック光ファイバが切断される。
【００１７】
刃保持部(4)は、１対のガイドレール(3)に支持されることで回転できないようになされており、ハンドル(7)を回転させることで、ガイドレール(3)に沿って上下移動する。
【００１８】
刃保持部(4)は、おねじ部材(6)を１回転させることで、１ピッチ上下に移動するものとなっており、１ピッチを例えば０．２ｍｍとすると、おねじ部材(6)を２秒で１回転させることで、刃保持部(4)の移動速度は、０．１ｍｍ／ｓｅｃとなる。すなわち、この速度で、プラスチック光ファイバを切断すれば、０．１ｍｍ／ｓｅｃの切断速度が得られる。
【００１９】
ここで、切断速度に関し、その好ましい範囲は、０．０４〜０．２ｍｍ／ｓｅｃ（φ２．２ｍｍのプラスチック光ファイバの切断に要する時間が１０〜６０ｓｅｃ）であり、さらに好ましい範囲は、０．０５〜０．１ｍｍ／ｓｅｃ（φ２．２ｍｍのプラスチック光ファイバの切断に要する時間が２０〜４０ｓｅｃ）である。人の手で刃(5)を動かした場合には、切断速度が速くなりすぎて、この好ましい範囲とすることは困難であるが、この発明によるプラスチック光ファイバ用カッタ(1)を使用することで、熟練度を必要とせずに、この好ましい範囲での切断が可能となる。
【００２０】
従来のプラスチック光ファイバ用カッタでは、切断面を顕微鏡で観察すると、図４（ａ）（ｂ）に示すように、コア(F1)に内部方向への亀裂(C)が生じたり、表面に雲母状の割れ(D)が生じたりするという問題があったのに対し、この発明のプラスチック光ファイバ用カッタ(1)による切断では、切断面を顕微鏡で観察すると、図３（ａ）（ｂ）に示すように、亀裂や割れがないきれいな切断面となる。なお、図３（ａ）（ｂ）および図４（ａ）（ｂ）において、(F1)はコアを、(F2)はクラッドを、(F3)は１次被覆を、(F4)は２次被覆をそれぞれ示している。
【００２１】
上記のプラスチック光ファイバ用カッタ(1)は、従来のプラスチック光ファイバ用カッタに代えて使用されるものであるが、下記のプラスチック光ファイバ用カッタの保持治具(11)を使用することにより、従来のプラスチック光ファイバ用カッタ(21)を使用して、上記のプラスチック光ファイバ用カッタ(1)による切断と同様の効果を有する切断を行うことができる。
【００２２】
図２において、プラスチック光ファイバ用カッタ(21)は、複数（図示は４つ）の光ファイバ挿通孔(22a)が設けられたケース部(22)と、ケース部(22)に対してスライド可能な刃保持部(23)と、刃保持部(23)に取り付けられた刃(24)とを備えている。
【００２３】
プラスチック光ファイバ用カッタ(21)によると、光ファイバ挿通孔(22a)内にプラスチック光ファイバ（図示略）が挿通された状態で、刃保持部(23)が下方に移動させられることで、プラスチック光ファイバが切断される。
【００２４】
カッタの保持治具(11)は、プラスチック光ファイバ用カッタ(21)のケース部(22)を保持する固定部(12)と、固定部(12)に立設された１対のガイドレール(13)と、プラスチック光ファイバ用カッタ(21)の刃保持部(23)を保持して１対のガイドレール(13)に上下にスライド可能に支持された移動部(14)と、移動部(14)に設けられためねじ部にねじ合わされたおねじ部材(15)と、おねじ部材(15)の上端部に固定されたハンドル(16)とを備えている。
【００２５】
ここで、固定部(12)は、上記のプラスチック光ファイバ用カッタ(1)においてガイドレール(3)を支持しているケース部(2)に対応する構成で、移動部(14)は、上下移動可能とされた刃保持部(4)に対応する構成で、ガイドレール(13)およびハンドル(16)付きのおねじ部材(15)は、それぞれ上記のプラスチック光ファイバ用カッタ(1)のガイドレール(3)およびハンドル(7)付きのおねじ部材(6)に対応する構成となっている。
【００２６】
したがって、カッタの保持治具(11)のハンドル(16)を回転させることで、プラスチック光ファイバ用カッタ(21)の刃保持部(23)を保持した移動部(14)がガイドレール(13)に沿って移動させられる。こうして、この発明によるプラスチック光ファイバ用カッタの保持治具(11)を使用することで、市販のプラスチック光ファイバ用カッタ(21)を使用しての上記好ましい切断速度の範囲での切断が可能となる。
【符号の説明】
【００２７】
(1)         プラスチック光ファイバ用カッタ
(2)         ケース部
(2a)        光ファイバ挿通孔
(3)         ガイドレール
(4)         刃保持部
(5)         刃
(6)         おねじ部材
(7)         ハンドル
(11)        保持治具
(12)        固定部
(13)        ガイドレール
(14)        移動部
(15)        おねじ部材
(16)        ハンドル
【図１】
2013178421.tif 000003
【図２】
2013178421.tif 000004
【図３】
2013178421.tif 000005
【図４】
2013178421.tif 000006